Podtech/llm-jp-corpus-v4-ja_patent huggingface dataset:
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
感光性ガラスセラミック基板内にエッチングされた三次元構造内に創成されるガラスセラミック容量性デバイスであって、
希釈ガラスエッチング液でリンスすることにより形成された、表面積が増大した、テクスチャが付与された表面を有する１若しくは２以上のビア又はポストチャネルを備え、前記テクスチャが付与された表面が、前記ガラスセラミック容量性デバイスにおいて電気容量を増大させる、前記ガラスセラミック容量性デバイス。
【請求項２】
感光性ガラスセラミック基板内にエッチングされた三次元構造内に創成されるガラスセラミック容量性デバイスを創成する方法であって、
シリカ、酸化リチウム、酸化アルミニウム、及び酸化セリウムを少なくとも含む感光性ガラスセラミック基板を用意するステップ、
１又は２以上の電気伝導路を前記感光性ガラスセラミック基板内に形成する１又は２以上の構造を含むデザインレイアウトをマスキングするステップ、
前記感光性ガラスセラミック基板の少なくとも一部分を活性エネルギー源に露光するステップ、
前記感光性ガラスセラミック基板を、そのガラス転移温度を上回る加熱相に少なくとも１０分間さらすステップ、
前記感光性ガラスセラミック基板を冷却し、前記露光された感光性ガラスセラミック基板の少なくとも一部を結晶性材料へ転換して結晶性ガラス基板を形成するステップ、
前記結晶性ガラス基板をエッチング溶液でエッチングし、三次元のエッチングされた構造をガラス基板中に形成するステップ、
希釈ガラスエッチング液でビア又はポストチャネルをリンスし、前記ビア又はポストチャネル内に、表面積が増大した、テクスチャが付与された表面を創成するステップ、
原子層堆積を用いて、前記ビア又はポストチャネルの前記テクスチャが付与された表面を底部電極用金属で被覆するステップ、
原子層堆積を用いて、前記底部電極の少なくとも一部分を誘電体媒体で被覆するステップ、
原子層堆積を用いて、前記誘電体媒体を上部電極用金属で被覆するステップ、並びに
前記上部電極の少なくとも一部分及び前記誘電体媒体の少なくとも一部分を除去し、回路との電気的接続を提供するステップ、
からなる、前記方法。
【請求項３】
第１の結晶性ガラス基板であって、
前記第１の結晶性ガラス基板中の１又は２以上の第１の電気伝導路であって、希釈ガラスエッチング液で前記第１の結晶性ガラス基板をリンスすることにより形成された、表面積が増大した、テクスチャが付与された表面を有する、前記１又は２以上の第１の電気伝導路、及び
前記１又は２以上の第１の電気伝導路に塗布される第１の金属被覆を含み、前記第１の結晶性ガラス基板が、シリカ、酸化リチウム、酸化アルミニウム、及び酸化セリウムを少なくとも含む、前記第１の結晶性ガラス基板、
第２の結晶性ガラス基板であって、
前記第２の結晶性ガラス基板中の１又は２以上の第２の電気伝導路であって、希釈ガラスエッチング液で前記第２の結晶性ガラス基板をリンスすることにより形成された、表面積が増大した、テクスチャが付与された表面を有する、前記１又は２以上の第２の電気伝導路、及び
前記１又は２以上の第２の電気伝導路に塗布される第２の金属被覆を含み、前記第２の結晶性ガラス基板が、シリカ、酸化リチウム、酸化アルミニウム、及び酸化セリウムを少なくとも含む、前記第２の結晶性ガラス基板、
前記第１の結晶性ガラス基板と前記第２の結晶性ガラス基板の間に位置する誘電体材料の層、並びに
前記第１の結晶性ガラス基板と前記第２の結晶性ガラス基板を接続する１又は２以上のビア、ポスト、チャネル、又はそれらの組合せ
を含む、ガラスセラミック容量性デバイス。 
【請求項４】
第１の結晶性ガラス基板に接続される第１の末端、及び第２の結晶性ガラス基板に接続される第２の末端をさらに含む、請求項３に記載のデバイス。
【請求項５】
第１の金属被覆、第２の金属被覆、又はその両方が原子層堆積を用いて塗布される、請求項３に記載のデバイス。
【請求項６】
第１の金属被覆、第２の金属被覆、又はその両方が、Ａｕ、Ａｇ、Ｐｔ、Ｃｕ、Ｗ、ＴｉＷ、ＴｉＮ、ＴａＮ、ＷＮ、Ａｌ２Ｏ３、又はそれらの混合物及び合金を含む、請求項３に記載のデバイス。
【請求項７】
誘電体層が、Ｔａ２Ｏ５、Ａｌ２Ｏ３、又はＡｌ２Ｏ３を含むがそれに限定されない他の気相誘電体を含む、請求項３に記載のデバイス。
【請求項８】
シリカ、酸化リチウム、酸化アルミニウム、及び酸化セリウムを少なくとも含む感光性ガラスセラミック基板を用意するステップ、
前記感光性ガラスセラミック基板上のデザインレイアウトをマスキングするステップであって、前記デザインレイアウトが、１又は２以上の電気伝導路を形成する１又は２以上の構造を含む、ステップ、
前記感光性ガラスセラミック基板の少なくとも一部分を活性エネルギー源に露光するステップ、
前記感光性ガラスセラミック基板を、そのガラス転移温度を上回る加熱相まで少なくとも１０分間加熱するステップ、
前記感光性ガラスセラミック基板を冷却し、前記露光された感光性ガラスセラミック基板の少なくとも一部を結晶性材料へ転換して結晶性ガラス基板を形成するステップ、
前記結晶性ガラス基板をエッチング溶液でエッチングし、エッチングされた三次元構造を前記結晶性ガラス基板中に形成するステップ、
前記エッチングされた三次元構造に隣接する前記結晶性ガラス基板の一部分をセラミック相へ変換する任意のステップ、
前記結晶性ガラス基板を希釈ガラスエッチング液でリンスし、ビア又はポストチャネル内に表面積が増大した、テクスチャが付与された表面を形成するステップ、
前記ビア又はポストチャネルの前記テクスチャが付与された表面を第１の金属で被覆し、底部電極を形成するステップ、
前記底部電極の少なくとも一部分を誘電体媒体で被覆するステップ、
前記誘電体媒体を第２の金属で被覆し、上部電極を形成するステップ、並びに
前記上部電極の少なくとも一部分及び前記誘電体媒体の少なくとも一部分を除去し、回路との電気的接続を提供するステップ、
を含む、感光性ガラスセラミック基板内に創成されるガラスセラミック容量性デバイスを製作する方法。
【請求項９】
第１の金属、第２の金属、又はその両方の被覆が、原子層堆積を用いる、請求項８に記載の方法。
【請求項１０】
第１の金属、第２の金属、又はその両方が、Ａｕ、Ａｇ、Ｐｔ、Ｃｕ、Ｗ、ＴｉＷ、ＴｉＮ、ＴａＮ、ＷＮ、Ａｌ２Ｏ３、又はそれらの混合物及び合金を含む、請求項８に記載の方法。 
【請求項１１】
誘電体層が、Ｔａ２Ｏ５、Ａｌ２Ｏ３、又は他の気相誘電体を含む、請求項８に記載の方法。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
光を電荷に変換する光電変換部と、
前記光電変換部で変換された電荷を転送する第１転送部と、
前記光電変換部で変換された電荷を転送する第２転送部と、
前記光電変換部で変換された電荷を転送する第３転送部と、
前記光電変換部で変換された電荷を転送する第４転送部と、
前記第１転送部または前記第２転送部または前記第３転送部または前記第４転送部で転送された電荷に基づく信号を出力する出力部と、
を備える撮像素子。
【請求項２】
請求項１に記載の撮像素子において、
電荷を蓄積する第１蓄積部と、
電荷を蓄積する第２蓄積部と、
電荷を蓄積する第３蓄積部と、
電荷を蓄積する第４蓄積部と、を備え、
前記第１転送部は、前記光電変換部で変換された電荷を前記第１蓄積部に転送し、
前記第２転送部は、前記光電変換部で変換された電荷を前記第２蓄積部に転送し、
前記第３転送部は、前記光電変換部で変換された電荷を前記第３蓄積部に転送し、
前記第４転送部は、前記光電変換部で変換された電荷を前記第４蓄積部に転送する撮像素子。
【請求項３】
請求項２に記載の撮像素子において、
前記第１蓄積部に蓄積された電荷をリセットする第１リセット部と、
前記第２蓄積部に蓄積された電荷をリセットする第２リセット部と、
前記第３蓄積部に蓄積された電荷をリセットする第３リセット部と、
前記第４蓄積部に蓄積された電荷をリセットする第４リセット部と、
を備える撮像素子。
【請求項４】
請求項１から３のいずれか一項に記載の撮像素子において、
前記出力部は、第１信号線に信号を出力する第１出力部と、第２信号線に信号を出力する第２出力部と、第３信号線に信号を出力する第３出力部と、第４信号線に信号を出力する第４出力部とを有する撮像素子。
【請求項５】
光を電荷に変換する第１光電変換部と、
光を電荷に変換する第２光電変換部と、
前記第１光電変換部で変換された電荷を転送する第１転送部と、
前記第１光電変換部で変換された電荷を転送する第２転送部と、
前記第２光電変換部で変換された電荷を転送する第３転送部と、
前記第２光電変換部で変換された電荷を転送する第４転送部と、
前記第１転送部または前記第２転送部で転送された電荷に基づく信号を出力する第１出力部と、
前記第３転送部または前記第４転送部で転送された電荷に基づく信号を出力する第２出力部と、
を備える撮像素子。
【請求項６】
請求項５に記載の撮像素子において、
電荷を蓄積する第１蓄積部と、
電荷を蓄積する第２蓄積部と、
電荷を蓄積する第３蓄積部と、
電荷を蓄積する第４蓄積部と、を備え、
前記第１転送部は、前記第１光電変換部で変換された電荷を前記第１蓄積部に転送し、
前記第２転送部は、前記第１光電変換部で変換された電荷を前記第２蓄積部に転送し、
前記第３転送部は、前記第２光電変換部で変換された電荷を前記第３蓄積部に転送し、
前記第４転送部は、前記第２光電変換部で変換された電荷を前記第４蓄積部に転送する撮像素子。
【請求項７】
請求項１から６のいずれか一項に記載の撮像素子において、
前記第１転送部で転送された電荷に基づく信号を出力するための第１信号線と、
前記第２転送部で転送された電荷に基づく信号を出力するための第２信号線と、
前記第３転送部で転送された電荷に基づく信号を出力するための第３信号線と、
前記第４転送部で転送された電荷に基づく信号を出力するための第４信号線と、
を備える撮像素子。
【請求項８】
請求項１から７のいずれか一項に記載の撮像素子において、
前記第１転送部を制御するための第１制御線と、
前記第２転送部を制御するための第２制御線と、
前記第３転送部を制御するための第３制御線と、
前記第４転送部を制御するための第４制御線と、
を備える撮像素子。
【請求項９】
請求項１から８のいずれか一項に記載の撮像素子と、
前記撮像素子から出力された信号に基づいて画像データを生成する生成部と、
を備える撮像装置。
【請求項１０】
請求項９に記載の撮像装置において、
前記撮像素子から出力された信号に基づいてデプスマップデータを作成する作成部と、
を備える撮像装置。
【手続補正２】
【補正対象書類名】明細書
【補正対象項目名】発明の名称
【補正方法】変更
【補正の内容】
【発明の名称】撮像素子及び撮像装置
【手続補正３】
【補正対象書類名】明細書
【補正対象項目名】０００１
【補正方法】変更
【補正の内容】
【０００１】
本発明は、撮像素子及び撮像装置に関する。
【手続補正４】
【補正対象書類名】明細書
【補正対象項目名】０００４
【補正方法】変更
【補正の内容】
【０００４】
請求項１に記載の撮像素子は、光を電荷に変換する光電変換部と、前記光電変換部で変換された電荷を転送する第１転送部と、前記光電変換部で変換された電荷を転送する第２転送部と、前記光電変換部で変換された電荷を転送する第３転送部と、前記光電変換部で変換された電荷を転送する第４転送部と、前記第１転送部または前記第2転送部または前記第3転送部または前記第４転送部で転送された電荷に基づく信号を出力する出力部と、を備える。
請求項５に記載の撮像素子は、光を電荷に変換する第１光電変換部と、光を電荷に変換する第２光電変換部と、前記第１光電変換部で変換された電荷を転送する第１転送部と、前記第１光電変換部で変換された電荷を転送する第２転送部と、前記第２光電変換部で変換された電荷を転送する第３転送部と、前記第２光電変換部で変換された電荷を転送する第４転送部と、前記第１転送部または前記第２転送部で転送された電荷に基づく信号を出力する第１出力部と、前記第３転送部または前記第４転送部で転送された電荷に基づく信号を出力する第２出力部と、を備える。
請求項９に記載の撮像装置は、前記撮像素子と、前記撮像素子から出力された信号に基づいて画像データを生成する生成部と、を備える。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
１つ以上のプロセッサ及びメモリを備える電子デバイスにおいて、
ユーザから、前記ユーザとは異なるエンティティに関連するリマインダを提供することのユーザ命令を表す自然言語入力を受け取ることであって、前記自然言語入力は前記エンティティを特定する、ことと、
前記自然言語入力に基づいて、前記ユーザ命令に関連するタスク項目と、前記タスク項目に関連する１つ以上のトリガー基準とを決定することであって、前記自然言語入力に関連するコンテキストデータに基づいて、前記自然言語入力のうち前記エンティティを指す部分の曖昧さを解消することを含み、前記コンテキストデータは、前記自然言語入力が受け取られる際に前記電子デバイスによって表示されている情報を含む、ことと、
前記自然言語入力のうち前記エンティティを指す前記部分の曖昧さを解消することに従って、前記エンティティに関連するモバイルデバイスの位置を決定することと、
前記エンティティに関連する前記モバイルデバイスの前記決定された位置に基づいて、前記タスク項目に関連する前記１つ以上のトリガー基準が満たされるかどうかを判定することであって、
前記ユーザに関連する電子デバイスの位置と、前記エンティティに関連する前記モバイルデバイスの前記位置との間の距離を決定することと、
前記距離を閾値距離と比較することと、を含むことと、
前記タスク項目に関連する前記１つ以上のトリガー基準が満たされることに従って、前記タスク項目に関連する動作を実行させることと、を有する方法。
【請求項２】
請求項１に記載の方法であって、前記エンティティに関連する前記モバイルデバイスの前記位置を決定することは、クラウドサービスから前記エンティティに関連する前記モバイルデバイスの前記位置を受信することを含む、方法。
【請求項３】
請求項１に記載の方法であって、前記タスク項目を決定することは、前記自然言語入力のうち前記エンティティを指す前記部分を識別することを含む、方法。
【請求項４】
請求項３に記載の方法であって、前記自然言語入力のうち前記エンティティを指す前記部分の曖昧さを解消することは、前記自然言語入力の前記部分を識別することに応じて実行される、方法。
【請求項５】
請求項１に記載の方法であって、前記自然言語入力は、前記閾値距離を特定する、方法。
【請求項６】
請求項１に記載の方法であって、前記自然言語入力は、特定の位置を特定し、前記タスク項目に関連する前記１つ以上のトリガー基準が満たされるかどうかを判定することは、
前記特定の位置と、前記エンティティに関連する前記モバイルデバイスの前記位置との間の距離を決定することを含む、方法。
【請求項７】
請求項１に記載の方法であって、
前記エンティティに関連する前記モバイルデバイスの前記位置を更新することと、
前記エンティティに関連する前記モバイルデバイスの前記更新された位置に基づいて、前記１つ以上のトリガー基準が満たされるかどうかを判定することと、をさらに有する、方法。
【請求項８】
請求項１に記載の方法であって、前記タスク項目に関連する前記動作を実行させることは、前記エンティティに関連する前記リマインダを提供することを含む、方法。
【請求項９】
電子デバイスによって実行された場合に、前記電子デバイスに、請求項１乃至８の何れか１項に記載の方法を実行させる命令を含むプログラム。
【請求項１０】
１つ以上のプロセッサと、
メモリと、
前記メモリに格納され、前記１つ以上のプロセッサによって実行されるように構成される１つ以上のプログラムであって、請求項１乃至８の何れか１項に記載の方法を実行するための命令を含む１つ以上のプログラムと、を備えるシステム。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
コンテンツを配信しないクライアントは、前記コンテンツのインデックス情報に記録された複数の参照の中から１つを抽出するシークバー利用過程と、抽出した前記参照の参照外しを実施する前記コンテンツの特定区間の受信過程と、を含み、
インターネットに接続するサーバは、前記特定区間を取得する過程と、前記参照外しに応じて前記特定区間を応答する過程と、を含むシークバー利用方法において、
前記サーバを使用することを特徴とする方法。
【請求項２】
コンテンツを配信しないクライアントは、前記コンテンツのインデックス情報に記録された複数の参照の中から１つを抽出するシークバー利用手段と、抽出した前記参照の参照外しを実施する前記コンテンツの特定区間の受信手段と、を備え、
インターネットに接続するサーバは、前記特定区間を取得する手段と、前記参照外しに応じて前記特定区間を応答する手段と、を備えるシステムに用いる前記クライアントのプロセッサを、前記シークバー利用手段または前記受信手段として機能させるための制御プログラム。
【手続補正２】
【補正対象書類名】明細書
【補正対象項目名】０００４
【補正方法】変更
【補正の内容】
【０００４】
ところで、上記従来の配信サーバ方法は、シークバーを、コンテンツのインデックス情報に記録された複数の参照の中から１つの抽出に利用し、抽出した参照を参照外ししてコンテンツの特定区間を受信することができないと言った問題があった。
【手続補正３】
【補正対象書類名】明細書
【補正対象項目名】０００５
【補正方法】変更
【補正の内容】
【０００５】
そこで、本発明の目的は、シークバーを、コンテンツのインデックス情報に記録された複数の参照の中から１つの抽出に利用し、抽出した参照を参照外ししてコンテンツの特定区間を受信することができる方法及びシステムを提供することにある。
【手続補正４】
【補正対象書類名】明細書
【補正対象項目名】０００６
【補正方法】変更
【補正の内容】
【０００６】
上記課題を解決するため本発明の方法において、コンテンツを配信しないクライアントは、前記コンテンツのインデックス情報に記録された複数の参照の中から１つを抽出するシークバー利用過程と、抽出した前記参照の参照外しを実施する前記コンテンツの特定区間の受信過程と、を含み、インターネットに接続するサーバは、前記特定区間を取得する過程と、前記参照外しに応じて前記特定区間を応答する過程と、を含むことを特徴とする。
【手続補正５】
【補正対象書類名】明細書
【補正対象項目名】０００７
【補正方法】変更
【補正の内容】
【０００７】
本発明によれば、方法及びシステムは、シークバーを、コンテンツのインデックス情報に記録された複数の参照の中から１つの抽出に利用し、抽出した参照を参照外ししてコンテンツの特定区間を受信することができる。
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
放送主体は、ＳＮＳ投稿文を配信する放送を行う過程を含み、
テレビジョン動画と前記放送により配信された前記ＳＮＳ投稿文の合成装置は、前記放送を受信する過程と、前記テレビジョン動画と前記放送により配信された前記ＳＮＳ投稿文の合成過程と、を含むＳＮＳ投稿文放送方法において、
前記放送主体を使用することを特徴とする方法。
【請求項２】
プロセッサを、
放送主体が、ＳＮＳ投稿文を配信する放送を行う手段を備え、
テレビジョン動画と前記放送により配信された前記ＳＮＳ投稿文の合成装置が、前記放送を受信する手段と、前記テレビジョン動画と前記放送により配信された前記ＳＮＳ投稿文の合成手段と、を備えるシステムに用いる前記合成手段として機能させるための制御プログラム。
【手続補正２】
【補正対象書類名】明細書
【補正対象項目名】０００４
【補正方法】変更
【補正の内容】
【０００４】
ところで、上記従来のテレビジョン放送方法は、テレビジョン動画とＳＮＳ投稿文を合成することができないと言った問題があった。
【手続補正３】
【補正対象書類名】明細書
【補正対象項目名】０００５
【補正方法】変更
【補正の内容】
【０００５】
そこで、本発明の目的は、テレビジョン動画とＳＮＳ投稿文を合成することができる方法及びシステムを提供することにある。
【手続補正４】
【補正対象書類名】明細書
【補正対象項目名】０００６
【補正方法】変更
【補正の内容】
【０００６】
上記課題を解決するため本発明の方法において、放送主体は、ＳＮＳ投稿文を配信する放送を行う過程を含み、テレビジョン動画と前記放送により配信された前記ＳＮＳ投稿文の合成装置は、前記放送を受信する過程と、前記テレビジョン動画と前記放送により配信された前記ＳＮＳ投稿文の合成過程と、を含むことを特徴とする。
【手続補正５】
【補正対象書類名】明細書
【補正対象項目名】０００７
【補正方法】変更
【補正の内容】
【０００７】
本発明によれば、方法及びシステムは、テレビジョン動画とＳＮＳ投稿文を合成することができる。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
互いに並列に接続された第１及び第２の駆動部を備え、
スイッチング素子のターンオン操作において前記第１及び第２の駆動部の両方が前記スイッチング素子のゲートにゲート電流を供給し始め、前記第１の駆動部は前記スイッチング素子のゲート電圧が前記スイッチング素子のしきい値電圧に達しても前記ゲート電流を供給し続け、前記第２の駆動部は前記ゲート電圧が前記しきい値電圧に達する前に前記ゲート電流の供給を止めることを特徴とする駆動回路。
【請求項２】
前記第２の駆動部は、ＮＭＯＳトランジスタと、前記ＮＭＯＳトランジスタを駆動するプリアンプとを有し、
前記プリアンプのハイ出力の電圧は、前記スイッチング素子の前記しきい値電圧と前記ＮＭＯＳトランジスタのしきい値電圧を足した合計電圧よりも低いことを特徴とする請求項１に記載の駆動回路。
【請求項３】
前記第２の駆動部は、前記プリアンプの高電位側の電源を有し、
前記電源の電圧は前記合計電圧よりも低いことを特徴とする請求項２に記載の駆動回路。
【請求項４】
前記第２の駆動部は、前記プリアンプの出力と基準電位との間に直列に接続された第１及び第２の抵抗とを有し、前記第１の抵抗と前記第２の抵抗の接続点が前記ＮＭＯＳトランジスタのゲートに接続されていることを特徴とする請求項２に記載の駆動回路。
【請求項５】
互いに並列に接続された第１及び第２の駆動部を備え、
スイッチング素子のターンオフ操作において前記第１及び第２の駆動部の両方が前記スイッチング素子のゲートにたまった電荷を放電し始め、前記第１の駆動部は前記スイッチング素子のゲート電圧が前記スイッチング素子のしきい値電圧に達しても前記電荷を放電し続け、前記第２の駆動部は前記ゲート電圧が前記しきい値電圧に達する前に前記電荷の放電を止めることを特徴とする駆動回路。
【請求項６】
前記第２の駆動部は、ＰＭＯＳトランジスタと、前記ＰＭＯＳトランジスタを駆動するプリアンプとを有し、
前記プリアンプのロー出力の電圧は、前記スイッチング素子の前記しきい値電圧から前記ＰＭＯＳトランジスタのしきい値電圧を引いた差電圧よりも高いことを特徴とする請求項５に記載の駆動回路。
【請求項７】
前記第２の駆動部は、前記プリアンプの低電位側の電源を有し、
前記電源の電圧は前記差電圧よりも高いことを特徴とする請求項６に記載の駆動回路。
【請求項８】
前記第２の駆動部は、前記プリアンプの出力と高電位側の電源との間に直列に接続された第１及び第２の抵抗とを有し、前記第１の抵抗と前記第２の抵抗の接続点が前記ＰＭＯＳトランジスタのゲートに接続されていることを特徴とする請求項６に記載の駆動回路。
【請求項９】
前記スイッチング素子と、
請求項１〜８の何れか１項に記載の駆動回路とを備えることを特徴とする半導体モジュール。
【請求項１０】
前記スイッチング素子はワイドバンドギャップ半導体によって形成されていることを特徴とする請求項９に記載の半導体モジュール。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
当りに関する抽選を行う抽選手段と、
前記抽選手段による抽選の結果に基づいて特別なリーチ演出を含んだ複数ある演出の中からいずれかの演出を決定する演出決定手段と、を備え、
前記演出決定手段によって決定された演出を所定の演出表示装置に表示する遊技機であって、
前記特別なリーチ演出は、静的表示から動的表示へと変化して前記抽選の結果を示唆する当落結果報知表示と、静的表示から動的表示へと変化するものの前記抽選の結果が示されない当落結果非報知表示と、が少なくとも表示される演出とされており、
前記抽選の結果が示唆される前記当落結果報知表示が行われているときの前記静的表示において、当該静的表示から前記動的表示へと変化するタイミングが把握可能となる特別表示が行われることを可能とし、
前記特別表示は、前記抽選の結果が示唆される前記当落結果報知表示が行われているときの前記静的表示が開始されてから所定時間経過したあとに表示され、
前記抽選の結果が示唆される前記当落結果報知表示が行われているときの前記静的表示において前記特別表示が表示される時間と前記所定時間を異ならせることを可能とする
ことを特徴とする遊技機。
【手続補正２】
【補正対象書類名】明細書
【補正対象項目名】０００７
【補正方法】変更
【補正の内容】
【０００７】
当りに関する抽選を行う抽選手段と、前記抽選手段による抽選の結果に基づいて特別なリーチ演出を含んだ複数ある演出の中からいずれかの演出を決定する演出決定手段と、を備え、前記演出決定手段によって決定された演出を所定の演出表示装置に表示する遊技機であって、前記特別なリーチ演出は、静的表示から動的表示へと変化して前記抽選の結果を示唆する当落結果報知表示と、静的表示から動的表示へと変化するものの前記抽選の結果が示されない当落結果非報知表示と、が少なくとも表示される演出とされており、前記抽選の結果が示唆される前記当落結果報知表示が行われているときの前記静的表示において、当該静的表示から前記動的表示へと変化するタイミングが把握可能となる特別表示が行われることを可能とし、前記特別表示は、前記抽選の結果が示唆される前記当落結果報知表示が行われているときの前記静的表示が開始されてから所定時間経過したあとに表示され、前記抽選の結果が示唆される前記当落結果報知表示が行われているときの前記静的表示において前記特別表示が表示される時間と前記所定時間を異ならせることを可能とすることを特徴とする遊技機。
【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
所定の判別を実行する判別手段と、
その判別手段の判別結果が特定の判別結果であることに基づいて特典を付与可能な特典付与手段と、
前記特典が付与され易い第１遊技状態と、その第１遊技状態よりも前記特典が付与され難い第２遊技状態と、を設定可能な遊技状態設定手段と、
演出を実行可能な演出実行手段と、
その演出実行手段により特定の演出が実行される特定期間を設定する特定期間設定手段と、を有した遊技機であって、
前記演出実行手段は、前記特定の演出の実行中に、前記第１遊技状態が設定されていることを示す示唆演出を実行可能なものであり、
前記示唆演出は、
前記特定期間が設定されている状態で、前記判別に基づいた判別遊技が行われている場合に実行され得るものであり、
前記特定期間が設定されていない状態、または、前記特定期間が設定されている状態で前記判別遊技が行われていない状態が所定期間継続したことにより実行される演出が実行されている場合には、実行されないものであり、
前記特定の演出は、前記特定期間が設定されている状態で、前記特定の演出とは異なる予め定められた所定の演出が前記演出実行手段により実行されている場合には、実行されないものであることを特徴とする遊技機。
【手続補正２】
【補正対象書類名】明細書
【補正対象項目名】０００６
【補正方法】変更
【補正の内容】
【０００６】
この目的を達成するために請求項１記載の遊技機は、所定の判別を実行する判別手段と、その判別手段の判別結果が特定の判別結果であることに基づいて特典を付与可能な特典付与手段と、前記特典が付与され易い第１遊技状態と、その第１遊技状態よりも前記特典が付与され難い第２遊技状態と、を設定可能な遊技状態設定手段と、演出を実行可能な演出実行手段と、その演出実行手段により特定の演出が実行される特定期間を設定する特定期間設定手段と、を有し、前記演出実行手段は、前記特定の演出の実行中に、前記第１遊技状態が設定されていることを示す示唆演出を実行可能なものであり、前記示唆演出は、前記特定期間が設定されている状態で、前記判別に基づいた判別遊技が行われている場合に実行され得るものであり、前記特定期間が設定されていない状態、または、前記特定期間が設定されている状態で前記判別遊技が行われていない状態が所定期間継続したことにより実行される演出が実行されている場合には、実行されないものであり、前記特定の演出は、前記特定期間が設定されている状態で、前記特定の演出とは異なる予め定められた所定の演出が前記演出実行手段により実行されている場合には、実行されないものである。
【手続補正３】
【補正対象書類名】明細書
【補正対象項目名】００１１
【補正方法】変更
【補正の内容】
【００１１】
請求項１記載の遊技機によれば、所定の判別を実行する判別手段と、その判別手段の判別結果が特定の判別結果であることに基づいて特典を付与可能な特典付与手段と、前記特典が付与され易い第１遊技状態と、その第１遊技状態よりも前記特典が付与され難い第２遊技状態と、を設定可能な遊技状態設定手段と、演出を実行可能な演出実行手段と、その演出実行手段により特定の演出が実行される特定期間を設定する特定期間設定手段と、を有し、前記演出実行手段は、前記特定の演出の実行中に、前記第１遊技状態が設定されていることを示す示唆演出を実行可能なものであり、前記示唆演出は、前記特定期間が設定されている状態で、前記判別に基づいた判別遊技が行われている場合に実行され得るものであり、前記特定期間が設定されていない状態、または、前記特定期間が設定されている状態で前記判別遊技が行われていない状態が所定期間継続したことにより実行される演出が実行されている場合には、実行されないものであり、前記特定の演出は、前記特定期間が設定されている状態で、前記特定の演出とは異なる予め定められた所定の演出が前記演出実行手段により実行されている場合には、実行されないものである。よって、遊技の興趣を向上できるという効果がある。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
遊技盤の正面に形成された遊技領域に向かって遊技球を発射する発射手段と、前記遊技領域を流下する遊技球を入球させる複数の入球領域と、を備える遊技機であって、
前記遊技機は、
略水平方向一方側に開口するようにして設けられた第１の入球領域と、
略水平方向他方側に開口するようにして設けられた第２の入球領域と、
前記第１の入球領域および前記第２の入球領域の間に設けられ、遊技球を前記第１の入球領域又は前記第２の入球領域のいずれかに誘導し得る誘導部と、を備え、
前記誘導部は、前記第１の入球領域に遊技球を入球させ得る第１の入球可能状態でも前記第２の入球領域に遊技球を入球させ得る第２の入球可能状態でも前記第１の入球領域および前記第２の入球領域の間に配置されている構成であり、
前記遊技機は、
前記第１の入球可能状態と、前記第２の入球可能状態と、前記第１の入球領域および前記第２の入球領域のいずれにも遊技球を入球させない入球不能状態と、に入球状態を切り替え可能な入球発生手段を備え、
前記第１の入球領域へと遊技球が入球するよりも、前記第２の入球領域へと遊技球が入球した方が有利度合いが高くなり易い構成であることを特徴とする遊技機。
【手続補正２】
【補正対象書類名】明細書
【補正対象項目名】０００６
【補正方法】変更
【補正の内容】
【０００６】
この目的を達成するために請求項１記載の遊技機は、遊技盤の正面に形成された遊技領域に向かって遊技球を発射する発射手段と、前記遊技領域を流下する遊技球を入球させる複数の入球領域と、を備え、前記遊技機は、略水平方向一方側に開口するようにして設けられた第１の入球領域と、略水平方向他方側に開口するようにして設けられた第２の入球領域と、前記第１の入球領域および前記第２の入球領域の間に設けられ、遊技球を前記第１の入球領域又は前記第２の入球領域のいずれかに誘導し得る誘導部と、を備え、前記誘導部は、前記第１の入球領域に遊技球を入球させ得る第１の入球可能状態でも前記第２の入球領域に遊技球を入球させ得る第２の入球可能状態でも前記第１の入球領域および前記第２の入球領域の間に配置されている構成であり、前記遊技機は、前記第１の入球可能状態と、前記第２の入球可能状態と、前記第１の入球領域および前記第２の入球領域のいずれにも遊技球を入球させない入球不能状態と、に入球状態を切り替え可能な入球発生手段を備え、前記第１の入球領域へと遊技球が入球するよりも、前記第２の入球領域へと遊技球が入球した方が有利度合いが高くなり易い構成である。
【手続補正３】
【補正対象書類名】明細書
【補正対象項目名】００１１
【補正方法】変更
【補正の内容】
【００１１】
請求項１記載の遊技機によれば、遊技盤の正面に形成された遊技領域に向かって遊技球を発射する発射手段と、前記遊技領域を流下する遊技球を入球させる複数の入球領域と、を備え、前記遊技機は、略水平方向一方側に開口するようにして設けられた第１の入球領域と、略水平方向他方側に開口するようにして設けられた第２の入球領域と、前記第１の入球領域および前記第２の入球領域の間に設けられ、遊技球を前記第１の入球領域又は前記第２の入球領域のいずれかに誘導し得る誘導部と、を備え、前記誘導部は、前記第１の入球領域に遊技球を入球させ得る第１の入球可能状態でも前記第２の入球領域に遊技球を入球させ得る第２の入球可能状態でも前記第１の入球領域および前記第２の入球領域の間に配置されている構成であり、前記遊技機は、前記第１の入球可能状態と、前記第２の入球可能状態と、前記第１の入球領域および前記第２の入球領域のいずれにも遊技球を入球させない入球不能状態と、に入球状態を切り替え可能な入球発生手段を備え、前記第１の入球領域へと遊技球が入球するよりも、前記第２の入球領域へと遊技球が入球した方が有利度合いが高くなり易い構成である。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
遊技球が流下する遊技領域と、
前記遊技領域に設けられ、予め定められた遊技球の経路である第１種経路と、
前記遊技領域に設けられ、予め定められた遊技球の経路であって、前記第１種経路とは異なる経路である第２種経路と、
前記遊技領域に設けられ、遊技球を前記第１種経路または前記第２種経路に振分ける経路振分手段と、
を備える遊技機であって、
前記経路振分手段は、当該経路振分手段に一の遊技球が到達するのと同時に、または、当該経路振分手段に一の遊技球が到達してから所定時間以内に、他の遊技球が当該経路振分手段に到達した場合には、当該一の遊技球および他の遊技球を前記第１種経路に振分けるものであり、
前記第１種経路は、前記第２種経路よりも遊技者に有利な経路であり、
当該遊技機は、さらに、
前記経路振分手段より上方に位置し、前記経路振分手段に至るまでの長さが異なる複数の経路を備える
ことを特徴とする遊技機。
【手続補正２】
【補正対象書類名】明細書
【補正対象項目名】０００６
【補正方法】変更
【補正の内容】
【０００６】
［形態］
遊技球が流下する遊技領域と、
前記遊技領域に設けられ、予め定められた遊技球の経路である第１種経路と、
前記遊技領域に設けられ、予め定められた遊技球の経路であって、前記第１種経路とは異なる経路である第２種経路と、
前記遊技領域に設けられ、遊技球を前記第１種経路または前記第２種経路に振分ける経路振分手段と、
を備える遊技機であって、
前記経路振分手段は、当該経路振分手段に一の遊技球が到達するのと同時に、または、当該経路振分手段に一の遊技球が到達してから所定時間以内に、他の遊技球が当該経路振分手段に到達した場合には、当該一の遊技球および他の遊技球を前記第１種経路に振分けるものであり、
前記第１種経路は、前記第２種経路よりも遊技者に有利な経路であり、
当該遊技機は、さらに、
前記経路振分手段より上方に位置し、前記経路振分手段に至るまでの長さが異なる複数の経路を備える
ことを特徴とする遊技機。
【手続補正書】
【提出日】令和3年11月11日(2021.11.11)
【手続補正１】
【補正対象書類名】明細書
【補正対象項目名】００２３
【補正方法】変更
【補正の内容】
【００２３】
本態様にあたっては、複数の仕切板夫々は、複数の電線が接続されるバスバの端部夫々の間に位置しており、仕切板夫々に対応する案内壁夫々のバスバ側の端部は、仕切板の延設方向の延長線上に位置している。従って、案内壁により案内された電線を、当該案内壁に対応する仕切板の横に位置するバスバの端部に導くことができる。
【手続補正書】
【提出日】令和3年3月16日(2021.3.16)
【手続補正１】
【補正対象書類名】明細書
【補正対象項目名】００３１
【補正方法】変更
【補正の内容】
【００３１】
モータブラケット４の内部には、ケーブル孔２２ａ，２２ｂが形成された一面と中心軸Ｏ１との間に、中心軸Ｏ１方向に貫通する開口部３０が形成されている。開口部３０の縁３１は、中心軸Ｏ１を中心にした円弧状の外側縁３２と、ケーブル孔２２ａ，２２ｂの軸線Ｏ２に対して平行で、互いに対向する２つの平面３３，３３と、ケーブル孔２２ａ，２２ｂの軸線Ｏ２上の点を中心とした半円状の凹部３４，３４と、２つの凹部３４，３４の間をつなぎ中心軸Ｏ１を中心とする円弧状の内側縁３５とからなる。開口部３０は、中心軸Ｏ１に垂直な方向から見て、ケーブル孔２２ａ，２２ｂの軸線Ｏ２と重なる位置に形成されている。対向する２つの平面３３，３３の間隔Ｄ５は、中心軸Ｏ１の方向より見てケーブル２１ａ，２１ｂの状態が完全に確認できるように、ケーブル２１ａ，２１ｂそれぞれの外径よりも広くなっている。
【手続補正２】
【補正対象書類名】図面
【補正対象項目名】図１
【補正方法】変更
【補正の内容】
【図１】
2021013257.tif 000001
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
遊技者による操作対象とされる操作手段と、
判定を行う判定手段と、
前記判定手段による判定の結果に基づいて複数の変動パターンのいずれかで図柄変動を実行可能な図柄変動実行手段と、
前記判定手段による判定にて所定の結果が得られたことに基づいて遊技者に特典を付与しうる特典付与手段と、
前記操作手段が許容されている状態にあり且つ周期的変化が現れうる画像表示である受付期間関連周期性表示が表示される周期性表示許容期間を発生可能であり、該周期性表示許容期間で操作受付がなされると、該操作受付がなされたことに基づいて受付後変化を実行可能な受付変化実行手段と、
前記操作手段に対しての操作受付が許容される状態にあること、または操作受付が許容される状態になることを示唆する受付許容音を可聴出力しうる許容音出力手段と
を備え、
前記周期性表示許容期間として、
前記受付期間関連周期性表示として特定第１周期性表示及び特定第２周期性表示が少なくとも表示される特定の周期性表示許容期間、及び
前記受付期間関連周期性表示として特別第１周期性表示及び特別第２周期性表示が少なくとも表示される特別の周期性表示許容期間
が少なくとも用意されており、
前記特定の周期性表示許容期間では、前記操作受付が複数回許容されている状態にある操作手段があり、該操作手段に対しての操作受付がなされたときにはこれを契機として当該特定の周期性表示許容期間を終了させずに前記受付後変化を発生させることが可能であり、この際、前記特定第２周期性表示においてそれまで現れていた周期的変化は、該操作受付がなされたことを契機として非表示の状態にされることがないが、前記特定第１周期性表示においてそれまで現れていた周期的変化は、該操作受付がなされたことを契機として非表示の状態にされうるようになっており、
前記特別の周期性表示許容期間では、前記操作受付が複数回許容されている状態にある操作手段があり、該操作手段に対しての操作受付がなされたときにはこれを契機として当該特別の周期性表示許容期間を終了させずに前記受付後変化を発生させることが可能であり、この際、前記特別第１周期性表示においてそれまで現れていた周期的変化、及び前記特別第２周期性表示においてそれまで現れていた周期的変化は、該操作受付がなされたことを契機としていずれも非表示の状態にされることがないようになっており、
前記操作受付が複数回許容されている状態にある操作手段を操作した状態に維持した場合、該操作手段に対しての操作受付が複数回なされる場合と、該操作手段に対しての操作受付が複数回なされない場合とがあり、前記特別の周期性表示許容期間では、前記操作受付が複数回許容されている状態にある操作手段を操作した状態に維持したとしても該操作手段に対しての操作受付が複数回なされる場合がないようになっており、
前記特定の周期性表示許容期間及び前記特別の周期性表示許容期間はいずれも、特定種別の演出音が非可聴の状態にされているなかで発生可能とされるものであるが、前記特定の周期性表示許容期間及び前記特別の周期性表示許容期間のうち前記特別の周期性表示許容期間に限っては、前記特定種別の演出音が可聴出力されているなかでも発生する場合があるものとなっており、
さらに、
前記特別第１周期性表示及び前記特別第２周期性表示は同じタイミングで表示開始される
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下を抑制することが求められる。
【手続補正３】
【補正対象書類名】明細書
【補正対象項目名】０００７
【補正方法】変更
【補正の内容】
【０００７】
手段１：遊技者による操作対象とされる操作手段と、
判定を行う判定手段と、
前記判定手段による判定の結果に基づいて複数の変動パターンのいずれかで図柄変動を実行可能な図柄変動実行手段と、
前記判定手段による判定にて所定の結果が得られたことに基づいて遊技者に特典を付与しうる特典付与手段と、
前記操作手段が許容されている状態にあり且つ周期的変化が現れうる画像表示である受付期間関連周期性表示が表示される周期性表示許容期間を発生可能であり、該周期性表示許容期間で操作受付がなされると、該操作受付がなされたことに基づいて受付後変化を実行可能な受付変化実行手段と、
前記操作手段に対しての操作受付が許容される状態にあること、または操作受付が許容される状態になることを示唆する受付許容音を可聴出力しうる許容音出力手段と
を備え、
前記周期性表示許容期間として、
前記受付期間関連周期性表示として特定第１周期性表示及び特定第２周期性表示が少なくとも表示される特定の周期性表示許容期間、及び
前記受付期間関連周期性表示として特別第１周期性表示及び特別第２周期性表示が少なくとも表示される特別の周期性表示許容期間
が少なくとも用意されており、
前記特定の周期性表示許容期間では、前記操作受付が複数回許容されている状態にある操作手段があり、該操作手段に対しての操作受付がなされたときにはこれを契機として当該特定の周期性表示許容期間を終了させずに前記受付後変化を発生させることが可能であり、この際、前記特定第２周期性表示においてそれまで現れていた周期的変化は、該操作受付がなされたことを契機として非表示の状態にされることがないが、前記特定第１周期性表示においてそれまで現れていた周期的変化は、該操作受付がなされたことを契機として非表示の状態にされうるようになっており、
前記特別の周期性表示許容期間では、前記操作受付が複数回許容されている状態にある操作手段があり、該操作手段に対しての操作受付がなされたときにはこれを契機として当該特別の周期性表示許容期間を終了させずに前記受付後変化を発生させることが可能であり、この際、前記特別第１周期性表示においてそれまで現れていた周期的変化、及び前記特別第２周期性表示においてそれまで現れていた周期的変化は、該操作受付がなされたことを契機としていずれも非表示の状態にされることがないようになっており、
前記操作受付が複数回許容されている状態にある操作手段を操作した状態に維持した場合、該操作手段に対しての操作受付が複数回なされる場合と、該操作手段に対しての操作受付が複数回なされない場合とがあり、前記特別の周期性表示許容期間では、前記操作受付が複数回許容されている状態にある操作手段を操作した状態に維持したとしても該操作手段に対しての操作受付が複数回なされる場合がないようになっており、
前記特定の周期性表示許容期間及び前記特別の周期性表示許容期間はいずれも、特定種別の演出音が非可聴の状態にされているなかで発生可能とされるものであるが、前記特定の周期性表示許容期間及び前記特別の周期性表示許容期間のうち前記特別の周期性表示許容期間に限っては、前記特定種別の演出音が可聴出力されているなかでも発生する場合があるものとなっており、
さらに、
前記特別第１周期性表示及び前記特別第２周期性表示は同じタイミングで表示開始される
ことを特徴とする遊技機。
【手続補正４】
【補正対象書類名】明細書
【補正対象項目名】０００８
【補正方法】削除
【補正の内容】
【手続補正書】
【提出日】令和3年7月26日(2021.7.26)
【手続補正１】
【補正対象書類名】明細書
【補正対象項目名】００３９
【補正方法】変更
【補正の内容】
【００３９】
また、撮影条件における放射線量が小さいと、第１の放射線画像Ｇ１に含まれるノイズが多くなる。このため、合成部２４は、放射線量が小さい場合、下記の式（２）に示すように、式（１）に対して放射線量に応じたノイズＮ（ｘ，ｙ）を加算することにより合成画像Ｃ０を生成する。この場合、重み係数ｗ１は予め定められた値としてもよく、上記の手術用具の放射線吸収率、放射線散乱の程度およびビームハードニングの少なくとも１つに応じて設定してもよい。また、ノイズＮ（ｘ，ｙ）は予め定められたシミュレーションにより導出して、ストレージ１３に記憶しておけばよい。なお、ノイズＮ（ｘ，ｙ）も合成パラメータに含まれる。
【手続補正２】
【補正対象書類名】明細書
【補正対象項目名】００４９
【補正方法】変更
【補正の内容】
【００４９】
このように、本実施形態においては、第１の放射線画像Ｇ１および手術用具を表す第２の放射線画像Ｇ２を合成することにより生成した合成画像Ｃ０、およびこの合成画像Ｃ０における手術用具の領域を表す正解データからなる教師データにより、入力された放射線画像から手術用具の領域を判別するように学習がなされた判別器３０を検出部２２が備えるものとした。そして、判別器３０によって、入力された放射線画像Ｇ０における手術用具の領域を判別することにより、手術用具の領域を検出するようにした。このため、本実施形態によれば、検出結果を参照することにより、患者の体内に手術用具が残存していないかを確実に確認することができる。したがって、本実施形態によれば、手術後における手術用具の患者体内の残存を確実に防止できる。
【手続補正３】
【補正対象書類名】明細書
【補正対象項目名】００５０
【補正方法】変更
【補正の内容】
【００５０】
一方、判別器３０の学習に必要な、手術器具が残存した放射線画像は極めて稀であるため、判別器３０の学習のために大量に収集することは困難であった。本実施形態においては、第１の放射線画像Ｇ１および手術用具を表す第２の放射線画像Ｇ２を合成することにより生成した合成画像Ｃ０を用いて、判別器３０を学習している。このため、十分な数の合成画像Ｃ０を用意することができ、その結果、手術器具の検出精度が高い判別器３０を構築することができる。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
遊技者による操作対象とされる複数の操作部と、
判定を行う判定手段と、
前記判定手段による判定にて所定の結果が得られたことに基づいて遊技者に特典を付与しうる特典付与手段と、
操作受付が許容される操作対象を摸した摸画像表示を、周期的変化が現れるように表示可能な摸画像表示手段と、
前記摸画像表示手段による表示の対象にされ且つ操作受付が許容可能とされる操作部がある操作摸画像表示状態を発生可能であり、該操作摸画像表示状態で前記操作部に対する操作受付がなされるとこれを契機として受付後変化を実行可能な操作許容状態実行手段と
を備え、
前記操作摸画像表示状態では、前記摸画像表示の周期的変化が所定時間単位で現れるように表示される場合と、前記摸画像表示の周期的変化が前記所定時間よりも長い時間単位で現れるように表示される場合とがあり、
前記操作摸画像表示状態の種別として、特定操作許容状態及び特別操作許容状態が少なくとも用意されており、
前記特定操作許容状態では、前記摸画像表示の周期的変化が所定時間単位で現れるように表示され、該摸画像表示に対応する操作部に対して操作受付がなされて該操作受付を契機とした受付後変化を生じさせるときには、該受付後変化の１つとして操作後出力音が出力され、
前記特別操作許容状態では、前記摸画像表示の周期的変化が前記所定時間よりも長い時間単位で現れるように表示され、該摸画像表示に対応する操作部に対して操作受付がなされて該操作受付を契機とした受付後変化を生じさせるときには、該受付後変化の１つとして操作後出力音が出力される場合と該操作後出力音が出力されない場合との両方があるようになっており、
さらに、
前記操作摸画像表示状態では、前記摸画像表示の周期的変化が所定時間単位で現れるように表示される場合と、前記摸画像表示の周期的変化が前記所定時間よりも長い時間単位で現れるように表示される場合とのいずれの場合においても、該摸画像表示の表示対象とされる操作部に対して前記操作受付が複数回許容されうるようになっており、
さらに、
前記特別操作許容状態は、特定種別ＢＧＭが可聴出力されているなかで発生する場合と、該特定種別ＢＧＭが非可聴の状態にされているなかで発生する場合との両方があるものとなっており、
前記特定種別ＢＧＭが可聴出力されているなかで前記特別操作許容状態が発生した場合であっても、前記特定種別ＢＧＭは、前記特別操作許容状態が継続しているなかで非可聴の状態にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下を抑制することが求められる。
【手続補正３】
【補正対象書類名】明細書
【補正対象項目名】０００７
【補正方法】変更
【補正の内容】
【０００７】
手段１：遊技者による操作対象とされる複数の操作部と、
判定を行う判定手段と、
前記判定手段による判定にて所定の結果が得られたことに基づいて遊技者に特典を付与しうる特典付与手段と、
操作受付が許容される操作対象を摸した摸画像表示を、周期的変化が現れるように表示可能な摸画像表示手段と、
前記摸画像表示手段による表示の対象にされ且つ操作受付が許容可能とされる操作部がある操作摸画像表示状態を発生可能であり、該操作摸画像表示状態で前記操作部に対する操作受付がなされるとこれを契機として受付後変化を実行可能な操作許容状態実行手段と
を備え、
前記操作摸画像表示状態では、前記摸画像表示の周期的変化が所定時間単位で現れるように表示される場合と、前記摸画像表示の周期的変化が前記所定時間よりも長い時間単位で現れるように表示される場合とがあり、
前記操作摸画像表示状態の種別として、特定操作許容状態及び特別操作許容状態が少なくとも用意されており、
前記特定操作許容状態では、前記摸画像表示の周期的変化が所定時間単位で現れるように表示され、該摸画像表示に対応する操作部に対して操作受付がなされて該操作受付を契機とした受付後変化を生じさせるときには、該受付後変化の１つとして操作後出力音が出力され、
前記特別操作許容状態では、前記摸画像表示の周期的変化が前記所定時間よりも長い時間単位で現れるように表示され、該摸画像表示に対応する操作部に対して操作受付がなされて該操作受付を契機とした受付後変化を生じさせるときには、該受付後変化の１つとして操作後出力音が出力される場合と該操作後出力音が出力されない場合との両方があるようになっており、
さらに、
前記操作摸画像表示状態では、前記摸画像表示の周期的変化が所定時間単位で現れるように表示される場合と、前記摸画像表示の周期的変化が前記所定時間よりも長い時間単位で現れるように表示される場合とのいずれの場合においても、該摸画像表示の表示対象とされる操作部に対して前記操作受付が複数回許容されうるようになっており、
さらに、
前記特別操作許容状態は、特定種別ＢＧＭが可聴出力されているなかで発生する場合と、該特定種別ＢＧＭが非可聴の状態にされているなかで発生する場合との両方があるものとなっており、
前記特定種別ＢＧＭが可聴出力されているなかで前記特別操作許容状態が発生した場合であっても、前記特定種別ＢＧＭは、前記特別操作許容状態が継続しているなかで非可聴の状態にされる
ことを特徴とする遊技機。
【手続補正４】
【補正対象書類名】明細書
【補正対象項目名】０００８
【補正方法】削除
【補正の内容】